(57)【要約】  移動局に、下りデータチャネルに付随するレイヤ１制御チャネルを示す識別子と上りレイヤ１制御チャネルを送信するための物理チャネルパラメータとを対応付けて記憶する手段と、識別子に基づいて、物理チャネルパラメータを判定し、レイヤ１制御チャネルを生成する手段とを備え、基地局に、記憶手段と、移動局から送信された信号に基づき、受信品質を測定し、物理チャネルパラメータを選択し、該物理チャネルパラメータに対応するレイヤ１制御チャネルを生成する手段と、レイヤ１制御チャネルを送信する手段とを備えることにより達成される。
2007055310.tif 000002
【特許請求の範囲】
【請求項１】
移動局と基地局とを備える移動通信システムにおいて：
前記移動局は、
下りデータチャネルに付随するレイヤ１制御チャネルを示す識別子と上りレイヤ１制御チャネルを送信するための物理チャネルパラメータとを対応付けて記憶する記憶手段；
前記識別子に基づいて、上りレイヤ１制御チャネルを送信するための物理チャネルパラメータを判定する物理層パラメータ判定手段；
判定された物理チャネルパラメータに基づいて、データチャネルの復号結果を示すレイヤ１制御チャネルを生成する上りレイヤ１制御チャネル生成手段；
生成されたレイヤ１制御チャネルを送信する送信手段；
を備え、
前記基地局は、
下りデータチャネルに付随するレイヤ１制御チャネルを示す識別子と上りレイヤ１制御チャネルを送信するための物理チャネルパラメータとを対応付けて記憶する記憶手段；
前記移動局から送信された信号に基づき、上りリンクの伝搬路の受信品質を測定する受信品質測定手段；
上りリンクの伝搬路の受信品質に基づき、上りレイヤ１制御チャネルを送信するための物理チャネルパラメータを選択し、該物理チャネルパラメータに対応する前記移動局に送信する下りデータチャネルに付随するレイヤ１制御チャネルを生成する下りレイヤ１制御チャネル生成手段；
生成されたレイヤ１制御チャネルを送信する送信手段；
を備えることを特徴とする移動通信システム。
【請求項２】
請求項１に記載の移動通信システムにおいて：
前記物理層パラメータ判定手段は、下りデータチャネルに付随するレイヤ１制御チャネルに1対1に対応して再送要求フィードバック信号をマッピングする上りＬ１制御チャネルを送信する物理チャネルパラメータを決定することを特徴とする移動通信システム。
【請求項３】
請求項１に記載の移動通信システムにおいて：
前記記憶手段は、下りデータチャネルに付随するレイヤ１制御チャネルの番号とレイヤ１制御チャネルを送信するための周波数ブロック番号とを対応付けて記憶し、
前記物理層パラメータ判定手段は、下りデータチャネルに付随するレイヤ１制御チャネルに1対1に対応して再送要求フィードバック信号をマッピングする上りＬ１制御チャネルを送信する周波数ブロックを決定し、
前記下りレイヤ１制御チャネル生成手段は、上りリンクの伝搬路の受信品質に基づき、上りレイヤ１制御チャネルを送信するための周波数ブロックを選択し、該周波数ブロックに対応する前記移動局に送信する下りデータチャネルに付随するレイヤ１制御チャネルを生成することを特徴とする移動通信システム。
【請求項４】
請求項１に記載の移動通信システムにおいて：
前記物理層パラメータ判定手段は、所定の関数により、前記識別子に対応する物理チャネルパラメータを決定することを特徴とする移動通信システム。
【請求項５】
下りデータチャネルに付随するレイヤ１制御チャネルを示す識別子と上りレイヤ１制御チャネルを送信するための物理チャネルパラメータとを対応付けて記憶する記憶手段；
前記識別子に基づいて、上りレイヤ１制御チャネルを送信するための物理チャネルパラメータを判定する物理層パラメータ判定手段；
判定された物理チャネルパラメータに基づいて、データチャネルの復号結果を示すレイヤ１制御チャネルを生成する上りレイヤ１制御チャネル生成手段；
生成されたレイヤ１制御チャネルを送信する送信手段；
を備えることを特徴とする移動局。
【請求項６】
下りデータチャネルに付随するレイヤ１制御チャネルを示す識別子と上りレイヤ１制御チャネルを送信するための物理チャネルパラメータとを対応付けて記憶する記憶手段；
前記移動局から送信された信号に基づき、上りリンクの伝搬路の受信品質を測定する受信品質測定手段；
上りリンクの伝搬路の受信品質に基づき、上りレイヤ１制御チャネルを送信するための物理チャネルパラメータを選択し、該物理チャネルパラメータに対応する前記移動局に送信する下りデータチャネルに付随するレイヤ１制御チャネルを生成する下りレイヤ１制御チャネル生成手段；
生成されたレイヤ１制御チャネルを送信する送信手段；
を備えることを特徴とする基地局。
【請求項７】
基地局が、移動局から送信された信号に基づき、上りリンクの伝搬路の受信品質を測定する受信品質測定ステップ；
基地局が、上りリンクの伝搬路の受信品質に基づき、上りレイヤ１制御チャネルを送信するための物理チャネルパラメータを選択し、該物理チャネルパラメータに対応する前記移動局に送信する下りデータチャネルに付随するレイヤ１制御チャネルを生成する下りレイヤ１制御チャネル生成ステップ；
基地局が、生成されたレイヤ１制御チャネルを送信する送信ステップ；
移動局が、下りデータチャネルに付随するレイヤ１制御チャネルを受信する受信ステップ；
移動局が、予め対応付けられた下りデータチャネルに付随するレイヤ１制御チャネルを示す識別子と上りレイヤ１制御チャネルを送信するための物理チャネルパラメータとに基づいて、前記レイヤ１制御チャネルを示す識別子に対応する物理チャネルパラメータを判定する物理層パラメータ判定ステップ；
移動局が、判定された物理チャネルパラメータに基づいて、データチャネルの復号結果を示すレイヤ１制御チャネルを生成する上りレイヤ１制御チャネル生成ステップ；
移動局が、生成されたレイヤ１制御チャネルを送信する送信ステップ；
を有することを特徴とする制御チャネル割り当て方法。
【請求項８】
請求項７に記載の制御チャネル割り当て方法において：
前記物理層パラメータ判定ステップは、下りデータチャネルに付随するレイヤ１制御チャネルに1対1に対応して再送要求フィードバック信号をマッピングする上りＬ１制御チャネルを送信する物理チャネルパラメータを決定することを特徴とする制御チャネル割り当て方法。
【請求項９】
請求項７に記載の制御チャネル割り当て方法において：
前記物理層パラメータ判定ステップは、下りデータチャネルに付随するレイヤ１制御チャネルに1対1に対応して再送要求フィードバック信号をマッピングする上りＬ１制御チャネルを送信する周波数ブロックを決定し、
前記下りレイヤ１制御チャネル生成ステップは、上りリンクの伝搬路の受信品質に基づき、上りレイヤ１制御チャネルを送信するための周波数ブロックを選択し、該周波数ブロックに対応する前記移動局に送信する下りデータチャネルに付随するレイヤ１制御チャネルを生成することを特徴とする制御チャネル割り当て方法。
【請求項１０】
請求項７に記載の制御チャネル割り当て方法において：
前記物理層パラメータ判定ステップは、所定の関数により、前記識別子に対応する物理チャネルパラメータを決定することを特徴とする制御チャネル割り当て方法。
【発明の詳細な説明】
【技術分野】
【０００１】
本発明は、移動通信システム、移動局および基地局並びに制御チャネル割り当て方法に関する。
【背景技術】
【０００２】
自動再送要求(Automatic Repeat Request : ARQ)用フィードバックチャネルの例として、High Speed Downlink Packet Access (HSDPA)で採用されているフィードバックチャネルの構成がある（例えば、非特許文献１参照）。【０００３】
HSDPAでは、トラヒックデータ伝送用の物理チャネルであるHigh Speed Physical Downlink Shared Channel (HS-PDSCH)に対し符号分割多重(Code Division Multiplexing : CDM)を適用することにより単位送信間隔(Transmission Time Interval : TTI)毎に複数の移動局に同時にデータを伝送可能である。したがって、HS-PDSCH上で送信されたデータチャネルの復号結果であるACK/NACK情報（ＡＲＱフィードバック信号）を送信側へ通知する制御チャネルであるHigh Speed Dedicated Physical Control Channel(HS-DPCCH)についても複数の移動局から同時に返送される。【０００４】
HS-DPCCHは、複数の移動局からのＡＲＱフィードバック信号を識別するために移動局固有のスクランブルコードにより拡散されている、個別物理チャネルである。このため、ある移動局にHS-DPCCHが割り当てられている間はＡＲＱフィードバック信号伝送用に特定のスクランブルコードなどの物理チャネルパラメータをTTI毎に割り当て直したり、割り当てられた物理チャネル情報を通知したりする処理を必要としない。【０００５】
図１に、HSDPAにおけるＡＲＱフィードバック信号伝送用の物理チャネルであるHS-DPCCHの例を示す。HS-DPCCHは、３つの時間スロットを用いて一組の制御情報が伝送される。HS-DPCCHは、上りリンク伝送用のデータチャネルなどを伝送するためのその他の物理チャネルと符号多重される。符号多重後の信号系列に対しユーザ固有のスクランブルコードを用いた拡散が行われ、送信される。
【非特許文献１】3GPP TS25.308
【非特許文献２】3GPP TSG-RAN#26 RP-040461
【発明の開示】
【発明が解決しようとする課題】
【０００６】
しかしながら、上述した背景技術には以下の問題がある。【０００７】
Evolved UTRANは、パケット伝送に特化したシステムである。このため、個別チャネルを適用せずに主に共有チャネルによって情報をパケット伝送することが検討されている（例えば、非特許文献２参照）。【０００８】
さらに、Evolved UTRAN では、TTI内においてデータチャネルや制御チャネルを伝送するチャネル帯域を周波数領域で分割して、それぞれの分割された周波数領域に対応する物理チャネルを異なる移動局に割り当てるFrequency Division Multiplexing (FDM)の適用が検討されている。【０００９】
さらに、分割された周波数帯域への物理チャネルの割り当てに際し、周波数領域におけるチャネル変動をも考慮したチャネル割り当て（パケットスケジューリング）を適用することも検討されている。このため、同一移動局に割り当てられる物理チャネルは時間とともに動的に変動する。【００１０】
また、ＡＲＱフィードバック信号を通知する上りリンクの物理チャネル割り当てについても同様に、Code Division Multiple Access (CDMA)に加えてFrequency Division Multiple Access (FDMA)の適用が検討されているため、移動局個別のスクランブルコードのみではＡＲＱ用フィードバック信号を送信する物理チャネルを指定できない。【００１１】
具体的には、例えば図２に示すように、物理チャネルは、分割されたどの周波数ブロックを用いてＡＲＱ用フィードバック信号を送信するかという周波数ブロック番号に加え、制御チャネルを割り当てるシンボル位置や拡散符号の識別番号といった物理チャネルパラメータの組が決定されることで一意に識別される。また、この物理チャネルパラメータはデータチャネル同様、TTI毎に決定し割り当てる必要がある。【００１２】
しかし、パケットスケジューリングを行う基地局（ネットワーク）側がTTI毎に各移動局に対するＡＲＱフィードバック信号に対する物理チャネルマッピング情報を決定し、物理チャネルパラメータの割り当て情報を通知する場合にはデータチャネルに付随して用いる制御チャネル（付随制御チャネル）の信号量が増加するという問題がある。【００１３】
さらに、信号伝送帯域の広帯域化にともなって周波数選択性フェージングの影響により異なる周波数ブロック毎に受信信号電力の時間的な変動の仕方が異なってくる。このため、基地局側が各移動局に対するＡＲＱフィードバック信号に対する物理チャネルマッピング情報を決定するにあたり、特定の移動局に対して単純に特定の物理チャネルパラメータを固定的に割り当てるだけでは、移動局に割り当てられたＡＲＱフィードバック信号に対する物理チャネルは必ずしもその移動局にとって最適な物理チャネルとはならない。【００１４】
そこで、本発明はこれらの問題に鑑みてなされたものであり、付随制御チャネルの信号量を増加させることなく、上りリンクにおいて最適な伝搬路状態の物理チャネルを選択できるようにＡＲＱフィードバック信号を割り当てる周波数ブロックなどの物理チャネルパラメータの情報を受信側に通知することができる移動通信システム、移動局および基地局並びに制御チャネル割り当て方法を提供することを目的としている。
【課題を解決するための手段】
【００１５】
上記課題を解決するため、本発明の移動通信システムは、移動局と基地局とを備える移動通信システムにおいて、前記移動局は、下りデータチャネルに付随するレイヤ１制御チャネルを示す識別子と上りレイヤ１制御チャネルを送信するための物理チャネルパラメータとを対応付けて記憶する記憶手段と、前記識別子に基づいて、上りレイヤ１制御チャネルを送信するための物理チャネルパラメータを判定する物理層パラメータ判定手段と、判定された物理チャネルパラメータに基づいて、データチャネルの復号結果を示す上りレイヤ１制御チャネルを生成する上りレイヤ１制御チャネル生成手段と、生成された上りレイヤ１制御チャネルを送信する送信手段とを備え、前記基地局は、下りデータチャネルに付随するレイヤ１制御チャネルを示す識別子と上りレイヤ１制御チャネルを送信するための物理チャネルパラメータとを対応付けて記憶する記憶手段と、前記移動局から送信された信号に基づき、上りリンクの伝搬路の受信品質を測定する受信品質測定手段と、上りリンクの伝搬路の受信品質に基づき、上りレイヤ１制御チャネルを送信するための物理チャネルパラメータを選択し、該物理チャネルパラメータに対応する前記移動局に送信する下りデータチャネルに付随するレイヤ１制御チャネルを生成する下りレイヤ１制御チャネル生成手段と、生成された下りデータチャネルに付随するレイヤ１制御チャネルを送信する送信手段とを備えることを特徴の１つとする。【００１６】
このように構成することにより、付随制御チャネルの信号量を増加させることなく、上りリンクにおいて最適な伝搬路状態の物理チャネルを選択できるようにＡＲＱフィードバック信号を割り当てる周波数ブロックなどの物理チャネルパラメータの情報を受信側に通知することができる。【００１７】
また、本発明の移動局は、下りデータチャネルに付随するレイヤ１制御チャネルを示す識別子と上りレイヤ１制御チャネルを送信するための物理チャネルパラメータとを対応付けて記憶する記憶手段と、前記識別子に基づいて、上りレイヤ１制御チャネルを送信するための物理チャネルパラメータを判定する物理層パラメータ判定手段と、判定された物理チャネルパラメータに基づいて、データチャネルの復号結果を示す上りレイヤ１制御チャネルを生成する上りレイヤ１制御チャネル生成手段と、生成された上りレイヤ１制御チャネルを送信する送信手段とを備えることを特徴の１つとする。【００１８】
このように構成することにより、通知されたＡＲＱフィードバック信号を割り当てる周波数ブロックなどの物理チャネルパラメータの情報に基づいて、上りリンクにおいて最適な伝搬路状態の物理チャネルを選択できる。【００１９】
また、本発明の基地局は、下りデータチャネルに付随するレイヤ１制御チャネルを示す識別子と上りレイヤ１制御チャネルを送信するための物理チャネルパラメータとを対応付けて記憶する記憶手段と、前記移動局から送信された信号に基づき、上りリンクの伝搬路の受信品質を測定する受信品質測定手段と、上りリンクの伝搬路の受信品質に基づき、上りレイヤ１制御チャネルを送信するための物理チャネルパラメータを選択し、該物理チャネルパラメータに対応する前記移動局に送信する下りデータチャネルに付随するレイヤ１制御チャネルを生成する下りレイヤ１制御チャネル生成手段と、生成された下りデータチャネルに付随するレイヤ１制御チャネルを送信する送信手段とを備えることを特徴の１つとする。【００２０】
このように構成することにより、付随制御チャネルの信号量を増加させることなく、上りリンクにおいて最適な伝搬路状態の物理チャネルを選択できるようにＡＲＱフィードバック信号を割り当てる周波数ブロックなどの物理チャネルパラメータの情報を受信側（移動局）に通知することができる。【００２１】
また、本発明の制御チャネル割り当て方法は、基地局が、移動局から送信された信号に基づき、上りリンクの伝搬路の受信品質を測定する受信品質測定ステップと、基地局が、上りリンクの伝搬路の受信品質に基づき、上りレイヤ１制御チャネルを送信するための物理チャネルパラメータを選択し、該物理チャネルパラメータに対応する前記移動局に送信する下りデータチャネルに付随するレイヤ１制御チャネルを生成する下りレイヤ１制御チャネル生成ステップと、基地局が、生成された下りデータチャネルに付随するレイヤ１制御チャネルを送信する送信ステップと、移動局が、下りデータチャネルに付随するレイヤ１制御チャネルを受信する受信ステップと、移動局が、予め対応付けられた下りデータチャネルに付随するレイヤ１制御チャネルを示す識別子と上りレイヤ１制御チャネルを送信するための物理チャネルパラメータとに基づいて、前記下りデータチャネルに付随するレイヤ１制御チャネルを示す識別子に対応する物理チャネルパラメータを判定する物理層パラメータ判定ステップと、移動局が、判定された物理チャネルパラメータに基づいて、データチャネルの復号結果を示す上りレイヤ１制御チャネルを生成する上りレイヤ１制御チャネル生成ステップと、移動局が、生成された上りレイヤ１制御チャネルを送信する送信ステップとを有することを特徴の１つとする。【００２２】
このようにすることにより、付随制御チャネルの信号量を増加させることなく、上りリンクにおいて最適な伝搬路状態の物理チャネルを選択できるようにＡＲＱフィードバック信号を割り当てる周波数ブロックなどの物理チャネルパラメータの情報を受信側に通知することができる。
【発明の効果】
【００２３】
本発明の実施例によれば、付随制御チャネルの信号量を増加させることなく、上りリンクにおいて最適な伝搬路状態の物理チャネルを選択できるようにＡＲＱフィードバック信号を割り当てる周波数ブロックなどの物理チャネルパラメータの情報を受信側に通知することができる移動通信システム、移動局および基地局並びに制御チャネル割り当て方法を実現できる。
【図面の簡単な説明】
【００２４】
【図１】レイヤ１制御チャネル割り当てにおける物理チャネルパラメータの一例を示す説明図である。
【図２】レイヤ１制御チャネル割り当てにおける物理チャネルパラメータの一例を示す説明図である。
【図３】本発明の一実施例にかかる移動通信システムを示すブロック図である。
【図４】下りリンク伝送におけるＡＲＱフィードバック信号伝送用Ｌ１制御チャネル割り当て処理を示すフロー図である。
【図５】下りリンク伝送における付随制御チャネル生成処理を示すフロー図である。
【図６】下りリンク伝送におけるＡＲＱフィードバック信号伝送用Ｌ１制御チャネル生成処理を示すフロー図である。
【図７】下りリンク伝送におけるＡＲＱフィードバック信号伝送用Ｌ１制御チャネル割り当ての一例を示す説明図である。
【符号の説明】
【００２５】
１００  基地局
２００  移動局
【発明を実施するための最良の形態】
【００２６】
次に、本発明の実施例について図面を参照して説明する。
なお、実施例を説明するための全図において、同一機能を有するものは同一符号を用い、繰り返しの説明は省略する。【００２７】
本発明の実施例にかかる移動通信システムについて、図３を参照して説明する。【００２８】
本実施例にかかる移動通信システムは、基地局１００と移動局２００とを備える。本実施例にかかる移動通信システムは、上りリンク伝送におけるＡＲＱフィードバック信号伝送用Ｌ１（レイヤ１）制御チャネルの割り当てを実現する。【００２９】
本実施例にかかる基地局１００について説明する。【００３０】
基地局１００は、送受信部１０２と、送受信部１０２と接続された下りレイヤ１制御チャネル生成手段としての付随制御チャネル生成部１０４と、付随制御チャネル生成部１０４と接続された下りリンクパケットスケジューラ１０８および記憶手段および下りレイヤ１制御チャネル生成手段としての付随制御チャネル選択部１０６と、付随制御チャネル選択部１０６と接続された受信品質測定手段としてのＬ１制御チャネルパラメータ決定部１１０とを備える。【００３１】
Ｌ１制御チャネルパラメータ決定部１１０は、移動局２００から送信された信号の測定によって得られる上りリンクの伝搬路の品質（受信品質）を測定し、該品質情報に基づき、あるTTIにおいて各ユーザに対して割り当てるＡＲＱフィードバック信号伝送用Ｌ１制御チャネルの物理層パラメータを決定し、決定された物理層パラメータを示す情報を付随制御チャネル選択部１０６へ通知する。例えば、Ｌ１制御チャネルパラメータ決定部１１０は、上りリンクの伝搬路の品質情報に基づき、上りレイヤ１制御チャネルを送信するための物理チャネルパラメータ、すなわちＡＲＱフィードバック信号伝送用Ｌ１制御チャネルパラメータ、例えば周波数ブロックなどを決定する。【００３２】
付随制御チャネル選択部１０６は、下りデータチャネルに付随するレイヤ１制御チャネルを示す識別子と上りレイヤ１制御チャネルを送信するための物理チャネルパラメータとを対応付けて記憶し、通知された物理層パラメータの中から送信機会割り当てを通知する付随制御チャネルを選択し、付随制御チャネル生成部１０４に入力する。例えば、付随制御チャネル選択部１０６は、物理層パラメータに対応する移動局に送信する下りデータチャネルに付随するレイヤ１制御チャネルを生成する。【００３３】
例えば、付随制御チャネル選択部１０６は、下りデータチャネルに付随するレイヤ１制御チャネルの番号と上りレイヤ１制御チャネルを送信するための周波数ブロック番号とを対応付けて記憶し、上りリンクの伝搬路の受信品質に基づき選択された上りレイヤ１制御チャネルを送信するための周波数ブロックに対応する前記移動局に送信する下りデータチャネルに付随するレイヤ１制御チャネルを生成する。【００３４】
下りリンクパケットスケジューラ１０８は、各ユーザへのデータ、すなわち下りデータチャネルの送信機会の割り当てを行う。また、下りリンクパケットスケジューラ１０８は、各ユーザに対して割り当てたデータチャネルに関するデータチャネル情報を付随制御チャネル生成部１０４に入力することにより通知する。例えば、下りリンクパケットスケジューラ１０８は、データチャネル情報として、データ変調方式、チャネル符号化率、使用周波数ブロックなどのデータチャネルの物理層パラメータ、再送回数などを決定する。【００３５】
付随制御チャネル生成部１０４は、選択された付随制御チャネルに下りリンクパケットスケジューラ１０８から通知されたデータチャネルの物理層パラメータをマッピングし、送受信部１０２に入力する。【００３６】
送受信部１０２は、付随制御チャネルを移動局２００へ送信する。また、送受信部１０２は、送信した付随制御チャネルに対応する上りレイヤ１制御チャネルを受信する。例えば、送受信部１０２は、送信した付随制御チャネルに対応する上りレイヤ１制御チャネルの物理チャネルパラメータに基づいて待ち受けを行う。【００３７】
本実施例にかかる移動局２００について説明する。【００３８】
移動局２００は、受信部２０２と、受信部２０２と接続された付随制御チャネル復号部２０４およびデータチャネル復号部２０６と、付随制御チャネル復号部２０４と接続された記憶手段および物理層パラメータ判定手段としてのＬ１制御チャネル物理層パラメータ判定部２０８と、Ｌ１制御チャネル物理層パラメータ判定部２０８およびデータチャネル復号部２０６と接続された上りレイヤ１制御チャネル生成手段としてのＬ１制御チャネル生成部２１０と、Ｌ１制御チャネル生成部２１０と接続された送信部２１２とを備える。【００３９】
受信部２０２は、基地局１００から送信された付随制御チャネルを受信し、復調し、付随制御チャネル復号部２０４に入力する。また、受信部２０２は、基地局１００から送信されたデータチャネルを受信し、復調し、データチャネル復号部２０６に入力する。【００４０】
付随制御チャネル復号部２０４は、入力された付随制御チャネルを復号し、付随制御チャネルを示す識別子、例えば付随制御チャネルの番号を示す情報を、Ｌ１制御チャネル物理層パラメータ判定部２０８に入力する。【００４１】
Ｌ１制御チャネル物理層パラメータ判定部２０８は、下りデータチャネルに付随するレイヤ１制御チャネルを示す識別子と上りレイヤ１制御チャネルを送信するための物理チャネルパラメータとを対応付けて記憶し、入力された付随制御チャネルの識別子に基づいて、１対１に対応するＡＲＱフィードバック信号伝送用Ｌ１制御チャネル物理層パラメータ、すなわちＡＲＱフィードバック信号をマッピングする上りＬ１制御チャネルを送信する物理チャネルパラメータを決定する。【００４２】
例えば、Ｌ１制御チャネル物理層パラメータ判定部２０８は、下りデータチャネルに付随するレイヤ１制御チャネルの番号と上りレイヤ１制御チャネルを送信するための周波数ブロック番号とを対応付けて記憶し、付随制御チャネルを示す番号に基づき、対応するＡＲＱフィードバック信号伝送用Ｌ１制御チャネルを送信するための周波数ブロック番号を判定し、Ｌ１制御チャネル生成部２１０に入力する。【００４３】
データチャネル復号部２０６は、データチャネルを復号し、下りリンクデータチャネル復号結果を示す情報をＬ１制御チャネル生成部２１０に入力する。例えば、データチャネル復号部２０６は、下りリンクデータチャネル復号結果を示す情報としてＡＣＫ／ＮＡＣＫを、Ｌ１制御チャネル生成部２１０に入力する。また、データチャネル復号部２０６は、ＡＲＱフィードバック信号を生成し、Ｌ１制御チャネル生成部２１０へ通知する。【００４４】
Ｌ１制御チャネル生成部２１０は、Ｌ１制御チャネル物理層パラメータ判定部２０８より入力されたＡＲＱフィードバック信号伝送用Ｌ１制御チャネル物理層パラメータを用いて、ＡＲＱフィードバック信号伝送用Ｌ１制御チャネルを生成し、送信部２１２に入力する。【００４５】
送信部２１２は、ＡＲＱフィードバック信号伝送用Ｌ１制御チャネルを送信し、基地局１００へ報告する。【００４６】
次に、ＡＲＱフィードバック信号伝送用Ｌ１制御チャネルパラメータの割り当て処理の一例について、図４を参照して説明する。【００４７】
基地局１００と移動局２００は、通信開始に先立ち付随制御チャネルとＡＲＱフィードバック信号伝送用Ｌ１制御チャネルパラメータとの対応関係を一致させる処理を行う（ステップＳ４０２）。この処理は、例えばネットワーク（ＮＷ）側から移動局２００へ通知する方法や当該対応関係を予め双方が有するなどの手段により行われる。この付随制御チャネルとＡＲＱフィードバック信号伝送用Ｌ１制御チャネルパラメータとの対応関係は、基地局１００の付随制御チャネル選択部１０６と、移動局２００のＬ１制御チャネル物理層パラメータ判定部２０８に記憶される。【００４８】
ネットワークから到着した送信データは下りパケットスケジューラ１０８により送信機会が割り当てられ、データチャネル情報が付随制御チャネル生成部１０４に入力される（ステップＳ４０４）。【００４９】
移動局２００は、上りリンク信号の送信を行う（ステップＳ４０６）。【００５０】
移動局２００が送信した上りリンク信号は、基地局１００に受信され、Ｌ１制御チャネルパラメータ決定部１１０に入力される。Ｌ１制御チャネルパラメータ決定部１１０は、上りリンク信号の受信品質の測定を行い、その結果に基づいて、ＡＲＱフィードバック信号伝送用Ｌ１制御チャネルパラメータの決定を行い、決定されたＬ１制御チャネルパラメータを示す情報を付随制御チャネル選択部１０６に入力する。【００５１】
付随制御チャネル選択部１０６は、ＡＲＱフィードバック信号伝送用Ｌ１制御チャネルパラメータに基づいて、送信機会の割り当て情報を通知するための付随制御チャネルを選択し、付随制御チャネル生成部１０４に入力する。付随制御チャネル生成部１０４は付随制御チャネルを生成し、送受信部１０２に入力する（ステップＳ４０８）。送受信部１０２は、付随制御チャネルにより送信機会を通知する（ステップＳ４１０）。【００５２】
次に、送受信部１０２は、データチャネルを送信する（ステップＳ４１２）。その後、基地局１００の送受信部１０２は、送信した付随制御チャネルに対応する上りレイヤ１制御チャネルの物理チャネルパラメータに基づいて待ち受ける。【００５３】
移動局２００の受信部２０２は、付随制御チャネルの受信およびデータチャネルの受信を行う。付随制御チャネル復号部２０４は、付随制御チャネルの復号を行い、付随制御チャネルを示す識別子をＬ１制御チャネル物理層パラメータ判定部２０８に入力する。データチャネル復号部２０６はデータチャネルの復号を行い、下りリンクデータチャネル復号結果をＬ１制御チャネル生成部２１０に入力する。Ｌ１制御チャネル生成部２１０は、データチャネルの復号結果であるＡＲＱフィードバック信号を生成し（ステップＳ４１４）、基地局１００へ送信する（ステップＳ４１６）。【００５４】
図４では、ステップＳ４０４において、下りパケットスケジューラ１０８により、ネットワークから到着した送信データに送信機会が割り当てられ、ステップＳ４０６において送信された上りリンク信号を用いて受信品質の測定が行われる場合について説明した。しかし、必ずしもこのタイミングで上りリンク信号が送信されるとは限らないため、ステップＳ４０４において、下りパケットスケジューラ１０８により、ネットワークから到着した送信データに送信機会が割り当てられる以前に上りリンクが送信された場合には、Ｌ１制御チャネルパラメータ決定部１１０は、該上りリンク信号の受信品質の測定を行い、その結果に基づいて、ＡＲＱフィードバック信号伝送用Ｌ１制御チャネルパラメータの決定を行うようにしてもよい。【００５５】
ここで、付随制御チャネルの生成処理について、図５を参照して詳細に説明する。【００５６】
下りリンクパケットスケジューラ１０８は、データチャネル送信機会を割り当て、割り当てたデータチャネル送信機会の情報を付随制御チャネル生成部１０４に入力する（ステップＳ５０２）。次に、Ｌ１制御チャネルパラメータ決定部１１０は、移動局２００からの送信信号を用いて上りリンクの受信品質の測定を行い（ステップＳ５０４）、その測定結果に基づき当該移動局２００に最適なＡＲＱフィードバック信号伝送用Ｌ１制御チャネルパラメータを決定し、付随制御チャネル選択部１０６に入力する（ステップＳ５０６）。例えば、Ｌ１制御チャネルパラメータ決定部１１０は、予め決定された所定の受信品質以上の受信品質となるＬ１制御チャネルパラメータを決定する。【００５７】
次に、付随制御チャネル選択部１０６は、ＡＲＱフィードバック信号伝送用Ｌ１制御チャネルパラメータに基づき、移動局２００に割り当てるべきＡＲＱフィードバック信号伝送用Ｌ１制御チャネルの物理パラメータに１対１に対応する付随制御チャネルを選択し、付随制御チャネル生成部１０４に入力する（ステップＳ５０８）。次に、付随制御チャネル生成部１０４は、当該移動局宛てのデータの送信割り当て情報をマッピングし、付随制御チャネルにより通知する（ステップＳ５１０）。その後、基地局１００の送受信部１０２は、送信した付随制御チャネルに対応する上りレイヤ１制御チャネルの物理チャネルパラメータに基づいて、上りレイヤ１制御チャネルを待ち受ける。【００５８】
図５では、ステップＳ５０２において、下りパケットスケジューラ１０８により、ネットワークから到着した送信データに送信機会が割り当てられ、ステップＳ５０４において送信された上りリンク信号を用いて受信品質の測定が行われる場合について説明した。しかし、必ずしもこのタイミングで上りリンク信号が送信されるとは限らないため、ステップＳ５０２において、下りパケットスケジューラ１０８により、ネットワークから到着した送信データに送信機会が割り当てられる以前に上りリンクが送信された場合には、Ｌ１制御チャネルパラメータ決定部１１０は、該上りリンク信号の受信品質の測定を行い、その結果に基づいて、ＡＲＱフィードバック信号伝送用Ｌ１制御チャネルパラメータの決定を行うようにしてもよい。【００５９】
ここで、ＡＲＱフィードバック信号伝送用Ｌ１制御チャネル生成処理について、図６を参照して説明する。【００６０】
移動局２００は、受信部２０２において、付随制御チャネルを受信する（ステップＳ６０２）。受信された付随制御チャネルは、付随制御チャネル復号部２０４に入力される。付随制御チャネル復号部２０４は、付随制御チャネルを復号し、自局宛のデータの送信機会が割り当てられているか否かを確認する（ステップＳ６０４）。【００６１】
自局宛てに送信機会が割り当てられていない場合（ステップＳ６０４：ＮＯ）、次のＴＴＩまで待機する（ステップＳ６０６）。一方、自局宛てに送信機会が割り当てられている場合（ステップＳ６０４：ＹＥＳ）、Ｌ１制御チャネル物理層パラメータ判定部２０８は、付随制御チャネルとＡＲＱフィードバック信号伝送用Ｌ１制御チャネルパラメータとの対応関係に基づき、ＡＲＱフィードバック信号伝送用Ｌ１制御チャネルパラメータを決定する(ステップＳ６０８)。【００６２】
付随制御チャネルとＡＲＱフィードバック信号伝送用Ｌ１制御チャネルパラメータとの対応関係は、例えば図７に示すように下り付随制御チャネル番号とＡＲＱフィードバック信号伝送用Ｌ１制御チャネルの周波数ブロック番号とが対応付けられる。Ｌ１制御チャネル物理層パラメータ判定部２０８は、付随制御チャネルを示す識別子、例えば付随制御チャネルを示す番号に基づいて、ＡＲＱフィードバック信号伝送用Ｌ１制御チャネル、例えば周波数ブロック番号を判定する。【００６３】
ここでは、１ＴＴＩで伝送されるフレームの特定の１シンボルにのみＡＲＱフィードバック信号伝送用Ｌ１制御チャネルが割り当てられ、符号多重は行われない場合について示すが、１ＴＴＩで伝送されるフレームの複数シンボルにＡＲＱフィードバック信号伝送用Ｌ１制御チャネルを割り当てるようにしてもよいし、符号多重を行うようにしてもよい。【００６４】
また、選択できる付随制御チャネルの数とＡＲＱフィードバック信号伝送用Ｌ１制御チャネルに用いることのできる周波数ブロックなどの物理層パラメータの組合せ数が等しくNチャネルである場合について示すが、選択できる付随制御チャネルの数とＡＲＱフィードバック信号伝送用Ｌ１制御チャネルに用いることのできる周波数ブロックなどの物理層パラメータの組合せ数が等しくない場合においても適用できる。【００６５】
基地局１００より、付随制御チャネルを示す識別子、例えば番号iを通じて送信機会が割り当てられた場合には、対応するi番目の周波数ブロックをＡＲＱフィードバック信号伝送用Ｌ１制御チャネルパラメータに決定する。【００６６】
次に、受信部２０２は、付随制御チャネルに後続してデータチャネルを受信し、受信されたデータチャネルを復調し、データチャネル復号部２０６に入力する。データチャネル復号部２０６は、復調されたデータチャネルの誤り判定を行い（ステップＳ６１０）、復号結果をＬ１制御チャネル生成部２１０に入力する。【００６７】
次に、Ｌ１制御チャネル生成部２１０は、データチャネルの誤り判定結果を用いてＡＲＱフィードバック信号伝送用Ｌ１制御チャネルを生成し、送信部２１２を介して送信する（ステップＳ６１２）。【００６８】
このようにすることにより、下りリンク伝送において付随制御チャネル内の信号量を増加させることなく、上りリンクにおいて最適な伝搬路状態の物理チャネルを選択できるように複数のＡＲＱフィードバック信号伝送用Ｌ１制御チャネルの中から選択された物理層パラメータを移動局側へ通知することが可能となる。【００６９】
この場合、選択可能なＡＲＱフィードバック信号伝送用Ｌ１制御チャネルがNチャネルの場合、１つのＡＲＱのコネクションにつき１ＴＴＩあたりｌｏｇ２（Ｎ）ビットの信号量削減が可能となる。【００７０】
本実施例では、ＡＲＱフィードバック信号伝送用Ｌ１制御チャネルに割り当てられた周波数ブロック番号と同一となる付随制御チャネルの番号を用いる場合について説明したが、周波数ブロックに割り当てられた番号と付随制御チャネルに割り当てられた番号を１対１に対応付けるために送受信側で互いに既知である所定の関数を用いて対応関係を決定してもよい。【００７１】
上述した実施例においては、ＡＲＱを適用した場合について説明したが、ハイブリッドＡＲＱ（ＡＲＱ：  Ｈｙｂｒｉｄ  ＡＲＱ）を適用してもよいことは言うまでもない。【００７２】
以上説明したように、本発明の実施例によれば、付随制御チャネルの信号量を増加させることなく上りリンクにおいて最適な伝搬路状態の物理チャネルを選択するようにＡＲＱフィードバック信号を割り当てる周波数ブロックなどの物理チャネル割り当て情報を受信側に通知することができる。【００７３】
本国際出願は、２００５年１１月１１日に出願した日本国特許出願２００５−３２７８１９号に基づく優先権を主張するものであり、２００５−３２７８１９号の全内容を本国際出願に援用する
【産業上の利用可能性】
【００７４】
本発明にかかる移動通信システム、移動局および基地局並びに制御チャネル割り当て方法は、無線通信システムに適用できる。
【図１】
2007055310.tif 000003
【図２】
2007055310.tif 000004
【図３】
2007055310.tif 000005
【図４】
2007055310.tif 000006
【図５】
2007055310.tif 000007
【図６】
2007055310.tif 000008
【図７】
2007055310.tif 000009
【国際調査報告】
2007055310.tif 000010
2007055310.tif 000011